(57)【要約】【課題】  電源を入れたままでメディアを抜き差しすることができ、メディアを抜き差しするときに電源を入れ直す必要がないポーダブル機器を提供する。【解決手段】  電池２、２とＳＤカード等のメディア３が収納された収納部４を開閉可能な蓋６で覆うようにし、蓋６は収納部４の両側の壁部４ａ、４ａ内に配置され、メディア３は電池２、２より奥側に抜き差し自在に収納され、収納部４の両側の壁部４ａ、４ａには電池２、２とメディア３の配置位置の境界部分より奥側に向けてレール溝５、５が形成され、蓋６の端部両側にはレール溝５、５に移動可能に嵌まり込む軸部７、７が外側に向けて突設されていて、蓋６が前向きにスライドされたときに、メディア３のみが露見されてこのメディア３を抜き差し可能とされると共に蓋６の裏面側に設けられた電池接点８、８が電池２、２に接触した状態が保持され、この状態でも蓋６は開閉可能とされている。【選択図】  図１
2008053120.tif 000002
【特許請求の範囲】
【請求項１】
電池とＳＤカード等のメディアが収納された収納部を開閉可能な蓋で覆うようにしたポーダブル機器において、前記蓋は前記収納部の両側の壁部内に配置され、前記メディアは前記電池より奥側に抜き差し自在に収納されており、前記収納部の両側の壁部には前記電池とメディアの配置位置の境界部分より奥側に向けてレール溝が形成され、前記蓋の端部両側には前記レール溝に移動可能に嵌まり込む軸部が外側に向けて突設されていて、前記蓋が前向きにスライドされたときに、前記メディアのみが露見されてこのメディアを抜き差し可能とされると共に前記蓋の裏面側に設けられた電池接点が前記電池に接触した状態が保持され、この状態でも前記蓋は開閉可能とされていることを特徴とするポーダブル機器。
【請求項２】
電池とＳＤカード等のメディアが収納された収納部を開閉可能な蓋で覆うようにしたポーダブル機器において、前記蓋は前記収納部の両側の壁部内に配置され、前記メディアは前記電池より奥側に抜き差し自在に収納されており、前記蓋は前記収納部の奥端から前記電池と前記メディアの配置位置の境界部分までスライド可能とされ、前記蓋と前記収納部の両側の壁部には、前記蓋が前記電池とメディアの配置位置の境界部分で開閉可能になる回転保持手段が設けられ、前記蓋が前向きにスライドされたときに、前記メディアのみが露見されてこのメディアを抜き差し可能とされると共に前記蓋の裏面側に設けられた電池接点が前記電池に接触した状態が保持され、この状態でも前記蓋は開閉可能とされていることを特徴とするポーダブル機器。
【請求項３】
前記蓋の裏面側に設けられた電池接点は、前記蓋をスライドしたときも常に前記電池に接触するように略長円形状に形成されている請求項２に記載のポーダブル機器。
【発明の詳細な説明】
【技術分野】
【０００１】
本発明は、電池とＳＤカード等のメディアが収納された収納部を開閉可能な蓋で覆うようにしたポーダブル機器に関するものである。
【背景技術】
【０００２】
従来の音楽プレーヤー等のポーダブル機器は、図５、図６に示すように、機器本体１０１の所定箇所に電池１０２、１０２とＳＤカード等のメディア１０３とが同じ箇所の収納部１０４に収納されている。この収納部１０４には、電池１０２、１０２とメディア１０３を覆う蓋１０５が開閉可能に設けられている。また、この蓋１０５の裏面には閉めたときに電池１０２、１０２に接触する電池接点１０６、１０６が形成されている。ところが、この蓋１０５を開くと、メディア１０３は抜き差しすることができるが、蓋１０５の接点１０６、１０６もオープンされ、ポーダブル機器の電源が落ちてしまうという問題があった。
【０００３】
第１の従来技術を図７（ａ）（ｂ）、図８に示す。この従来のカメラは、図７（ａ）（ｂ）、図８は、撮影モードに、誤操作防止モードを設ける。設定ダイヤル２１０の操作により誤動作防止モードが選択されると、レリーズボタン２１１、電源ボタン２１６、シフトボタン２１９以外の操作ボタンの操作が無効となる。また、ロック機構２４８が作動し、インターフェイス端子用の保護カバー２２８、メモリーカード用の保護カバー２２９、電池用の装填蓋２２５が閉じ位置に保持される。これにより、撮影者がカメラの扱いに不慣れな人や子供の場合に、不用意に保護カバー２２８、２２９や装填蓋２２５の開動作を行うことが防止される。誤動作防止モードの解除は、例えばシフトボタン２１９を押しながら設定ダイヤル２１０の操作による暗証番号の入力で行う。（例えば、特許文献１参照）。
【０００４】
ところが、これは、図７（ｂ）に示すように、メモリーカード用の保護カバー２２９と電池用の装填蓋２２５が別々の箇所に設けられているものであった。
【０００５】
第２の従来技術を図９、図１０に示す。この従来の着脱可能な外部記憶媒体の駆動制御装置は、図９、図１０に示すように、ハードディスク装置３１８の装着部に格納蓋３１２が設けられ、スイッチ３１５により格納蓋３１２の開閉状態が検出され、この検出信号が制御部３２９に入力される。装着部に装着されたハードディスク装置３１８には格納蓋３１２の閉成状態でのみ電源供給部３２８から電源供給が行われる。ハードディスク装置３１８の駆動中に格納蓋３１２が開かれると、制御部３２９によりハードディスク装置３１８の駆動が停止された後、電源供給が停止され、ハードディスク装置３１８が取外し可能状態になる。格納蓋３１２の開閉動作によりハードディスク装置３１８の取外し動作を検出し、取外しが完了する前にハードディスク装置３１８の駆動停止及び電源供給停止を行なうことによりデータの破壊及び磁気ディスクの損傷を確実に防止するようにした。          
【０００６】
（例えば、特許文献２参照）。
【０００７】
ところが、これは、図５に示すように、ハードディスク装置３１８用の格納蓋３１２と電池装着部３１０の蓋が別々の箇所に設けられているものであった。
【０００８】
第３の従来技術を図１１に示す。この従来の記録媒体収納装置は、図１１に示すように、記録媒体（メモリーカード）４１５を開口部４１１から挿脱自在に収納可能な媒体収納室４１０と、この媒体収納室４１０の内部に設けられ、開口部４１１から挿入された記録媒体４１５の挿入先端部位４１５ｃと接続されるコネクタ４１２と、このコネクタ４１２に対する記録媒体４１５の相対位置情報から、記録媒体４１５が媒体収納室４１０から取出される速度を検出する取出し速度検出手段（センサ４２０、ＣＰＵ）と、この取出し速度検出手段（センサ４２０、ＣＰＵ）にて検出された記録媒体４１５の取り出し速度情報に基づいて、記録媒体４１５に対する処理動作を制御する制御手段（図示略）と、を備えたことを主たる特徴としている。（例えば、特許文献３参照）。
【０００９】
ところが、これにおいては、記録媒体４１５を収納する媒体収納室４１０の前カバー（図示略）についてのみ記載されているものであって、電池用の蓋については記載されていないものであった。また、記録媒体４１５と電池とが同じ箇所に収納されてないものであった。
【特許文献１】特開２００３−２６２９０５号公報
【特許文献２】特開平８−９６４９３号公報
【特許文献３】特開２００５−５７８４号公報
【発明の開示】
【発明が解決しようとする課題】
【００１０】
本発明は、上記従来の問題に鑑みてなされたものであって、電源を入れたままでメディアを抜き差しすることができ、メディアを抜き差しするときに電源を入れ直す必要がないポーダブル機器を提供することを目的としている。
【課題を解決するための手段】
【００１１】
本発明は、上記課題を解決するために提案されたものであって、請求項１に記載の発明は、電池とＳＤカード等のメディアが収納された収納部を開閉可能な蓋で覆うようにしたポーダブル機器において、前記蓋は前記収納部の両側の壁部内に配置され、前記メディアは前記電池より奥側に抜き差し自在に収納されており、前記収納部の両側の壁部には前記電池とメディアの配置位置の境界部分より奥側に向けてレール溝が形成され、前記蓋の端部両側には前記レール溝に移動可能に嵌まり込む軸部が外側に向けて突設されていて、前記蓋が前向きにスライドされたときに、前記メディアのみが露見されてこのメディアを抜き差し可能とされると共に前記蓋の裏面側に設けられた電池接点が前記電池に接触した状態が保持され、この状態でも前記蓋は開閉可能とされていることを特徴としている。
【００１２】
請求項２に記載の発明は、電池とＳＤカード等のメディアが収納された収納部を開閉可能な蓋で覆うようにしたポーダブル機器において、前記蓋は前記収納部の両側の壁部内に配置され、前記メディアは前記電池より奥側に抜き差し自在に収納されており、前記蓋は前記収納部の奥端から前記電池と前記メディアの配置位置の境界部分までスライド可能とされ、前記蓋と前記収納部の両側の壁部には、前記蓋が前記電池とメディアの配置位置の境界部分で開閉可能になる回転保持手段が設けられ、前記蓋が前向きにスライドされたときに、前記メディアのみが露見されてこのメディアを抜き差し可能とされると共に前記蓋の裏面側に設けられた電池接点が前記電池に接触した状態が保持され、この状態でも前記蓋は開閉可能とされていることを特徴としている。
【００１３】
請求項３に記載の発明は、請求項２に記載の発明において、前記蓋の裏面側に設けられた電池接点は、前記蓋をスライドしたときも常に前記電池に接触するように略長円形状に形成されている。
【発明の効果】
【００１４】
請求項１に記載の発明によれば、蓋から突設された軸部を収納部の壁部のレール溝に沿って前向きにスライドし、電池とメディアの配置位置の境界部分までスライドすることによりメディアが露見されるから、この状態で電源をオープンさせることなくメディアを抜き差しすることができ、メディアを抜き差しするときに電源を入れ直す必要がない。また、蓋に軸部を設け収納部の壁部にレール溝を設けるだけであるから構造を簡単化することができる。
【００１５】
請求項２に記載の発明によれば、蓋を電池とメディアの配置位置の境界部分までスライドさせることにより、この位置で回転保持手段により蓋が停止されるから、この状態で電源をオープンさせることなくメディアを抜き差しすることができ、メディアを抜き差しするときに電源を入れ直す必要がない。
【００１６】
請求項３に記載の発明によれば、蓋の裏面に設けられた電池接点が略長円形状に形成されているから、蓋を前向きにスライドさせても、電池接点を常に電池に接触させることができて、電源がオープンすることがない。
【発明を実施するための最良の形態】
【００１７】
以下、本発明に係るポーダブル機器の実施の形態について、図を参照しつつ説明する。
【００１８】
図１は本発明の実施形態のポーダブル機器の要部を示し、蓋が電池とメディアの配置位置の境界部分までスライドされた状態の斜視図、図２は同ポータブル機器の要部の分解斜視図、図３は図１の状態から蓋を開けた状態の要部の斜視図、図４は同ポータブル機器における収納部全体に蓋を閉めた状態の要部の斜視図である。
【００１９】
本実施形態の音楽プレーヤー等のポーダブル機器は、図１、図２に示すように、機器本体１の所定箇所に電池２、２とＳＤカード等のメディア３を収納する収納部４が設けられ、この収納部４の両側の壁部４ａ、４ａの奥側から電池２、２とメディア３の配置位置の境界部分に向けてレール溝５、５が形成されている。また、この収納部４を覆う蓋６の端部両側には外向きに軸部７、７が突設されていて、これらの軸部７、７がレール溝５、５にスライド自在にはめ込まれるようになっている。尚、これらの軸部７、７とレール溝５、５とで回転保持手段を構成している。また、図３に示すように、蓋６の裏面には電池２、２に接触される略長円形状の電池接点８、８が設けられている。
【００２０】
図４に示すように、蓋６が収納部４の全体を覆うように閉められている状態から図１に示すように、電池２、２とメディア３の配置位置の境界部分までスライドしたときに、メディア３が露見した状態となる。この状態でメディア３を抜き差しできるようになっている。この状態では、電池接点８、８が電池２、２に接触して電源が入った状態に保持されている。また、図３に示すように、蓋６を開けると電池２、２を取替えすることができるようになっている。
【００２１】
本実施形態によれば、蓋６から突設された軸部７、７を収納部４の壁部４ａ、４ａのレール溝５、５に沿って前向きにスライドし、電池２、２とメディア３の配置位置の境界部分までスライドすることによりメディア３が露見されるから、この状態で電源をオープンさせることなくメディア３を抜き差しすることができ、メディア３を抜き差しするときに電源を入れ直す必要がない。また、蓋６に軸部７、７を設け収納部４の壁部４ａ、４ａにレール溝５、５を設けるだけであるから構造を簡単化することができる。更に、蓋６の裏面に設けられた電池接点８、８が略長円形状に形成されているから、蓋６を前向きにスライドさせても、電池接点８、８を常に電池２、２に接触させることができて、電源がオープンすることがない。
【００２２】
尚、本実施形態では、ポーダブル機器について説明したが、この構造は、一般の撮像装置にも適用することができるものである。また、電池接点８、８は略長円形状のものに限らず、楕円形状など他の形状であってもよいことは勿論である。
【図面の簡単な説明】
【００２３】
【図１】本発明の実施形態のポーダブル機器の要部を示し、蓋が電池とメディアの配置位置の境界部分までスライドされた状態の斜視図である。
【図２】同ポータブル機器の要部の分解斜視図である。
【図３】図１の状態から蓋を開けた状態の要部の斜視図である。
【図４】同ポータブル機器における収納部全体に蓋を閉めた状態の要部の斜視図である。
【図５】従来のポータブル機器の収納部における蓋を閉めた状態の部分斜視図である。
【図６】図５の状態から蓋を開けた状態の部分斜視図である。
【図７】従来のカメラを示し、（ａ）はその正面斜視図、（ｂ）はその背面斜視図である。
【図８】従来のカメラ内部の電気的構成を示すブロック図である。
【図９】従来の着脱可能な外部記録媒体の駆動制御装置を示すブロック図である。
【図１０】駆動制御部のハードディスク装置の装着部を示す斜視図である。
【図１１】従来の記録媒体収納装置の構成を示し、（ａ）は記録媒体が媒体収納室から引き出された状態を表側から見た斜視図、（ｂ）は記録媒体が媒体収納室内に収納された状態を裏側から見た斜視図である。
【符号の説明】
【００２４】
１        機器本体
２        電池
３        メディア
４        収納部
４ａ      壁部
５        レール溝
６        蓋
７        軸部
８        電池接点
【図１】
2008053120.tif 000003
【図２】
2008053120.tif 000004
【図３】
2008053120.tif 000005
【図４】
2008053120.tif 000006
【図５】
2008053120.tif 000007
【図６】
2008053120.tif 000008
【図７】
2008053120.tif 000009
【図８】
2008053120.tif 000010
【図９】
2008053120.tif 000011
【図１０】
2008053120.tif 000012
【図１１】
2008053120.tif 000013